(57)【要約】【課題】信号のパケットやパケット・グループに複数のパラメータを設定できるようにする。【解決手段】ユーザ・インターフェイス５０を用いて、試験信号の試験シーケンスやパラメータを設定する。パラメータは、ＰＰＤＵに設定され、ＰＰＤＵはパケット・グループと関連づけられる。信号処理ユニットは、ＰＰＤＵを含むパケット・グループをコンパイルし、試験信号を表すデジタル・データを生成する。波形生成回路は、このデジタル・データを受けて、ＰＰＤＵを含むパケット・グループを有する試験信号を生成する。カスタム動作モードでは、信号規格の範囲を超えてエラー・データを含む試験信号を生成できるようパラメータを設定できる。【選択図】図１０
2008309790.tif 000002
【特許請求の範囲】
【請求項１】
パケット・グループを定義するステップ（ａ）と、
インデックス付きＰＰＤＵを定義するステップ（ｂ）と、
上記インデックス付きＰＰＤＵにパラメータを入力し、処理するステップ（ｃ）と、
処理した上記インデックス付きＰＰＤＵにパラメータと上記パケット・グループを関連づけるステップ（ｄ）と、
上記インデックス付きＰＰＤＵが関連づけられた上記パケット・グループをコンパイルして、試験信号を表すデジタル・データを生成するステップ（ｅ）と、
上記パケット・グループに関連づけた上記インデックス付きＰＰＤＵ中のパラメータで定義された試験信号の出力信号を生成するステップ（ｆ）と
を具える試験信号の試験シーケンス及びパラメータ設定方法。
【請求項２】
上記パケット・グループを定義する上記ステップ（ａ）が、更に上記パケット・グループを繰り返す回数を設定するステップを有することを特徴とする請求項１記載の試験信号の試験シーケンス及びパラメータ設定方法。
【請求項３】
上記ステップ（ｃ）が、
上記ＰＰＤＵ中の少なくとも１つのＰＰＤＵ要素を選択するステップと、
選択された上記ＰＰＤＵ要素内のコンポーネントを選択するステップと、
上記選択された上記ＰＰＤＵ要素内の選択された上記コンポーネント中の詳細設定項目にパラメータを入力するステップと
を更に有することを特徴とする請求項１記載の試験信号の試験シーケンス及びパラメータ設定方法。
【請求項４】
上記ステップ（ｂ）、（ｃ）及び（ｄ）を繰り返してインデックス付きＰＰＤＵを追加するステップと、
上記ステップ（ａ）、（ｂ）、（ｃ）及び（ｄ）を繰り返してパケット・グループを追加するステップと、
処理された上記インデックス付きＰＰＤＵが関連づけられた上記パケット・グループをコンパイルして、上記試験信号を表すデジタル・データを生成するステップと、
上記パケット・グループに関連づけられた上記インデックス付きＰＰＤＵ中のパラメータで定義された試験信号の出力信号を生成するステップと
を更に具えることを特徴とする請求項３記載の試験信号の試験シーケンス及びパラメータ設定方法。
【請求項５】
適合性モード又はカスタム動作モードを選択する初期ステップを更に具えることを特徴とする請求項１記載の試験信号の試験シーケンス及びパラメータ設定方法。
【請求項６】
パケット・グループを定義するステップ（ａ）と、
インデックス付きＰＰＤＵを定義するステップ（ｂ）と、
上記インデックス付きＰＰＤＵにパラメータを入力し、処理するステップ（ｃ）と、
処理した上記インデックス付きＰＰＤＵにパラメータと上記パケット・グループを関連づけるステップ（ｄ）と、
上記ステップ（ｂ）、（ｃ）及び（ｄ）を繰り返してインデックス付きＰＰＤＵを追加するステップと、
上記ステップ（ａ）、（ｂ）、（ｃ）及び（ｄ）を繰り返してパケット・グループを追加するステップと
を具えることを特徴とする試験信号の試験シーケンス及びパラメータ設定方法。
【請求項７】
上記パケット・グループを定義する上記ステップ（ａ）が、更に上記パケット・グループを繰り返す回数を設定するステップを有することを特徴とする請求項６記載の試験信号の試験シーケンス及びパラメータ設定方法。
【請求項８】
上記インデックス付きＰＰＤＵが関連づけられた上記パケット・グループをコンパイルして、上記試験信号を表すデジタル・データを生成するステップを更に具えることを特徴とする請求項６記載の試験信号の試験シーケンス及びパラメータ設定方法。
【請求項９】
上記試験信号を表すデジタル・データを生成する上記ステップが、更に上記パケット・グループに関連づけた上記インデックス付きＰＰＤＵ中のパラメータで定義された試験信号の出力信号を生成するステップを更に有することを特徴とする請求項８記載の試験信号の試験シーケンス及びパラメータ設定方法。
【請求項１０】
上記ステップ（ｃ）が、
上記ＰＰＤＵ中の少なくとも１つのＰＰＤＵ要素を選択するステップと、
選択された上記ＰＰＤＵ要素内のコンポーネントを選択するステップと、
選択された上記ＰＰＤＵ要素内の選択された上記コンポーネント中の詳細設定項目にパラメータを入力するステップと
を更に有することを特徴とする請求項６記載の試験信号の試験シーケンス及びパラメータ設定方法。
【請求項１１】
適合性モード又はカスタム動作モードを選択する初期ステップを更に具えることを特徴とする請求項６記載の試験信号の試験シーケンス及びパラメータ設定方法。
【請求項１２】
試験信号用の少なくとも第１のパケット・グループに関連づけられた少なくとも１つのＰＰＤＵ中のパラメータ・シートを選択するためのユーザ・インターフェイスと、
少なくとも上記ＰＰＤＵを含む少なくとも上記第１のパケット・グループをコンパイルして、少なくとも上記ＰＰＤＵを含む少なくとも上記第１のパケット・グループを有する試験信号を表すデジタル・データを生成する信号処理ユニットと、
上記デジタル・データを受けて、少なくとも上記ＰＰＤＵを含む少なくとも上記第１のパケット・グループを有する試験信号の出力信号を生成する波形生成手段と
を具える信号生成装置。
【請求項１３】
上記ユーザ・インターフェイスが、選択可能なラジオ・ボタン、チェック・ボックス又はアイコンの表示要素を有することを特徴とする請求項１２記載の信号生成装置。
【発明の詳細な説明】
【技術分野】
【０００１】
本発明は、試験信号の生成に関し、特に、信号生成装置と、信号生成装置が生成する試験信号のパラメータ設定及び試験シーケンスのためのユーザ・インターフェイスに関する。
【背景技術】
【０００２】
被試験電気回路の動作をチェックするためには、その回路に試験信号を供給すれば良い。信号生成装置は、被試験電気回路動作をチェックするためのこうした試験信号を供給する装置である。信号生成装置は、ユーザの設定に応じて試験信号の設定を制御する手段を有している。電気回路からの出力信号は、オシロスコープなどの測定装置で観測される。
【０００３】
多くのメーカーが、試験信号を設定するためのユーザ・インターフェイスを供給している。一例としては、ローデ・シュワルツ社が製造販売するシミュレーション・ソフトウェア「ＷｉｎＩＱＳＩＭ（商標）」がある。このシミュレーション・ソフトウェアは、デジタル変調信号とその信号に障害を加えるためのユーザ・インターフェイスを提供する。このユーザ・インターフェイスは、図１に示すようなマルチ・キャリア・ブロック・ダイアグラムを提供するもので、複数のパラメータを定義する複数のブロックと、信号に障害を設定する複数のブロックとを有している。これらブロックの１つ、例えば、データ・ソース・ブロックをクリックすると、図２に示すようなデータ・ソース・ダイアグラム・ウィンドウが開き、ここでユーザはデータ・パラメータを定義できたり、データ・ファイルをインポートしたりできる。ユーザがデータ・ソースのパラメータをひとたび設定し、ユーザがＯＫボックスをクリックすれば、ダイアログ・ウィンドウは閉じる。図３に示すように変調設定（Modulation Settings）ブロックをクリックすると、図４に示すように変調ダイアログ・ウィンドウが開き、ここでユーザは信号の変調パラメータを設定できる。ＯＫボックスをクリックすれば、変調ダイアログ・ウィンドウは閉じる。図５に示すようにＩＱ障害（IQ Impairments）ブロックをクリックすると、図６に示すようにＩＱ障害ダイアログ・ウィンドウが開き、ここでユーザは信号のＩＱ障害をオン（On）にしてＩＱ障害を設定できる。ＯＫボックスをクリックすれば、ＩＱ障害ダイアログ・ウィンドウは閉じる。
【発明の開示】
【発明が解決しようとする課題】
【０００４】
上述のユーザ・インターフェイスの欠点としては、ユーザは、ブロック・ダイアグラム内の各ブロックについて、夫々のダイアログ・ウィンドウで信号パラメータを設定しなければならないことである。これでは、信号に関する全ての設定をユーザは一目で見ることができない。更に、上述のユーザ・インターフェイスでは、複数のＰＰＤＵ（Presentation Protocol Data Units）を１つグループに設定して、１つ以上のグループについて繰り返すといったこともできない。また、上述のユーザ・インターフェイスでは、ヘッダやＰＳＤＵ（Physical layer Service Data Unit）などのような信号の複数の成分を選択的にオン／オフすることもできない。
【０００５】
こうしたことから、ユーザが信号の設定を一目で見ることができる信号生成装置で用いるユーザ・インターフェイスが必要とされている。ユーザは、信号のパケットやパケットのグループに複数のパラメータを設定できることが望ましい。そのユーザ・インターフェイスは、信号生成装置が多様で複雑なフレーム・シーケンスを提供できるように複数グループのシーケンスを制御でき、製品開発過程において体系的な試験アプローチを提供できることが望ましい。
【課題を解決するための手段】
【０００６】
本発明は、試験信号の試験シーケンス及びパラメータ設定する信号生成装置及び方法に関する。信号生成装置は、試験信号のための１つ以上のパケット・グループに係る１つ以上のＰＰＤＵ（Presentation Protocol Data Unit）中のパラメータを選択するユーザ・インターフェイスを有する。信号処理ユニットは、１つ又は複数のＰＰＤＵを含む１つ又は複数のパケット・グループをコンパイルして、試験信号を表すデジタル・データを生成する。波形生成手段は、このデジタル・データを受けて、出力する試験信号を生成する。メモリは、試験信号を表すコンパイルされたデジタル・データを記憶する。
【０００７】
また、本発明は、試験信号の試験シーケンス及びパラメータ設定方法であって、パッケット・グループとインデックス付きＰＰＤＵ（Presentation Protocol Data Unit）を定義するステップを有する。ＰＰＤＵ要素がインデックス付きＰＰＤＵ中から選択され、選択されたＰＰＤＵ要素内のコンポーネントが選択される。選択されたＰＰＤＵ要素内の選択されたコンポーネント内にある詳細設定項目にパラメータが入力される。インデックス付きＰＰＤＵが処理されると、パケット・グループと関連づけられる。処理されたパケット・グループをコンパイルすることで、試験信号を表すデジタル・データが生成される。そして、パケット・グループと関連づけられたインデックス付きＰＰＤＵ内のパラメータで定義された試験信号が出力される。追加のインデックス付きＰＰＤＵを定義しても良く、パラメータを入力したり、追加で定義されたパケット・グループに関連づけても良い。パケット・グループは、選択したリピート回数だけ、繰り返すようにしても良い。最初のステップで、適合性動作モードとカスタム動作モードを選択するようにしても良い。
【０００８】
本発明の目的、効果及び新規性は、以下の詳細な記述を特許請求の範囲及び図面とともに読むことによって明らかとなろう。
【発明を実施するための最良の形態】
【０００９】
図７は、米国オレゴン州ビーバートンのテクトロニクス社が製造販売するＡＷＧ７１０２型のような信号生成装置１０を示す。信号生成装置１０は、前面パネル１４のボタンやノブ１２のような前面パネル・コントローラを、液晶や陰極線管のような表示デバイス１６上に表示されるユーザ・インターフェイスとともに用いてユーザが定義した信号出力を生成する。信号生成装置１０は、波形データ、実行可能なプログラムなどを蓄積するためのＣＤやＤＶＤ／ＣＤドライブも有している。
【００１０】
図８は、ＡＷＧ７１０２型信号生成装置１０の機能ブロック図を示す。信号生成装置１０は、中央演算装置（ＣＰＵ）２０を有し、これは、ハードディスク・ドライブ（ＨＤＤ）２４に記憶されたプログラムに従って装置の動作を制御する。ＲＡＭの如きメモリ２２は、ＣＰＵ２０用の記憶デバイス２４から読み出すプログラムのワーク領域として使用される。ユーザは、前面パネル１４上のボタン、ノブ等１２を介して、試験信号を出力するための信号生成装置の設定を行う。表示デバイス１６は、信号パターンと出力する試験信号のユーザ設定に関する情報を視覚化するためのユーザ・インターフェイスを提供する。外部表示出力回路２６はビデオ出力を供給し、これは外部表示デバイス２８に供給されて、信号生成装置内蔵の表示デバイス１６に加えて、更に広い表示領域を提供する。波形生成回路３０は、ユーザが定義したパラメータに基いて出力する試験信号パターンを生成する。この例では、波形生成回路は、２チャンネル出力端子と、トリガ及びイベント信号入力端子を有している。入力／出力ポート３２は、外部キーボード３４、マウス３６のようなポインティング・デバイスなどを信号生成装置に接続するために使用される。外部キーボード３４やマウス３６の機能は、信号生成装置の前面パネル・コントローラの一部に含まれるようにしても良い。これらブロックは、信号及びデータ・バス３８で相互に接続される。信号生成装置のバス３８に、ＬＡＮ（Local Area Network）インターフェイス４０を設けても良く、これによってパソコン（ＰＣ）４２のような外部コントローラと接続しても良い。ＬＡＮインターフェイス４０によって、ＰＣ４２上から上述のユーザ・インターフェイスを動作させたり、出力信号データを信号発生装置１０に渡したり、ＰＣ４２からネットワークを介して信号生成装置１０を制御できるようになる。ＬＡＮインターフェイス４０の代わりに、ＧＰＩＢ（General Purpose Interface Bus）を用いても良い。
【００１１】
図９は、図１０に示すようなＷｉＭｅｄｉａ  Ａｌｌｉａｎｃｅで定義されたＷｉＭｅｄｉａウルトラ・ワイド・バンド信号のような信号を設定するためのユーザ・インターフェイス５０を示す。ユーザ・インターフェイス５０は、ＨＤＤ２４に記憶されたユーザ・インターフェイス・プログラムを用いて、ＣＰＵ２０によるプログラム制御で動作する。ユーザ・インターフェイス５０は、表示デバイス１６又は外部表示デバイス２８上に表示しても良い。または、ユーザ・インターフェイスのプログラムを記憶しておいて、パソコン４２からアクセスするようにしても良い。ユーザ・インターフェイス５０には、パケット・グループを定義する「Packet Groups」エリア５２と、ＰＰＤＵ（Presentation Protocol Data Unit）を定義する「PPDUs in Group」エリア５４とがある。ＵＷＢ信号のフレーム・ストラクチャ・インターフェイス５６は、各ＰＰＤＵと連携している。フレーム・ストラクチャ５６により、ユーザは、信号生成装置１０の前面パネル・コントローラ１２を用いるか、信号生成装置１０に接続されたキーボード３４及びマウス３６を用いることで、ＰＰＤＵの設定５４を定義できる。
【００１２】
ユーザ・インターフェイス５０には、ＷｉＭｅｄｉａウルトラ・ワイド・バンド信号の動作モードを設定するために、２つのモードのラジオ・ボタン５８及び６０がある。１つのモード（適合性動作モード）は適合性試験用で、他方はＷｉＭｅｄｉａウルトラ・ワイド・バンド信号のパラメータをカスタマイズできるようにするもの（カスタム動作モード）である。適合性試験では、ＵＷＢ信号のパラメータは、長さ、スクランブラ初期状態（scrambler init）、バースト・モード、プリアンブルの形式など、プルダウンのオプションで提供されるものは別として、規格で定義された固定のものである。カスタム動作モードでは、パラメータは編集可能で、ユーザが変更できる。
【００１３】
フレーム・ストラクチャ５６は、ＷｉＭｅｄｉａウルトラ・ワイド・バンド信号の規格で定められたＰＬＣＰプリアンブル（Preamble）ボックス６２、ＰＬＣＰヘッダ（Header）ボックス６４及びＰＳＵＤ（Physical Layer Service Data Unit）ボックス６６のようなＰＰＤＵの要素を表示する。これらＰＰＤＵ要素ボックス６２、６４及び６６の夫々には、小さな「±」ボックス６８、７０及び７２があり、これらをクリックすると、コンポーネント・ボックス７４、７６及び７８で示されるＰＬＣＰプリアンブル、ＰＬＣＰヘッダ及びＰＳＤＵ夫々に係るコンポーネント・ボックスが表示される。ＰＬＣＰヘッダ・ボックス及びＰＳＤＵボックスの夫々には、更にクリックしてオン又はオフされるチェック・ボックス８０及び８２がある。チェック・ボックス８０及び８２をクリックしてオフにされると、夫々に対応するＰＬＣＰヘッダ又はＰＳＤＵがＷｉＭｅｄｉａウルトラ・ワイド・バンド信号中に供給されないようになる。ＰＬＣＰプリアンブル、ＰＬＣＰヘッダ及びＰＳＤＵの選択されたコンポーネント・ボックスにも「±」ボックスがあり、これらによってユーザはそのコンポーネントに関係する詳細な設定項目を表示できる。チェック・ボックス、ラジオ・ボタン、アイコンなどは、試験シーケンス及びパラメータ設定ユーザ・インターフェイス５０の表示要素である。
【００１４】
ユーザは、最初に適合性モード又はカスタム・モードを選択し、試験信号を組み立てる。どちらのモードでも、ユーザは、「PPDU s in Group」エリア５４の表示ボックス内の名前（Name）列中にＰＰＤＵ名を割り当ててＰＰＤＵを定義する。名前列には、対応するインデックス列があり、これはＰＰＤＵ名にインデックス値を付与する。そこでユーザは、フレーム・ストラクチャ５６を用いて、名付けたＰＰＤＵにパラメータを設定する。適合性モードでは、コンポーネントに係るプルダウン・メニューで提供されるパラメータの変更について、ＷｉＭｅｄｉａウルトラ・ワイド・バンド信号規格で許容される範囲にユーザは制限を受ける。カスタム・モードでは、ＷｉＭｅｄｉａウルトラ・ワイド・バンド信号規格の範囲を超えてパラメータを変更したり、意図的なエラー・データ（データ障害）を試験信号に供給したりできる。これらにより、信号を受ける被測定デバイスにストレスを与える試験信号を生成して被測定デバイスの動作限界を求め、被測定デバイス設計の仕様を定めることができ、安定した動作を確実なものにできる。
【００１５】
ユーザ・インターフェイスがカスタム・モードに設定されているとすると、ユーザがＰＬＣＰプリアンブル・ボックス６２、ＰＬＣＰヘッダ・ボックス６４及びＰＳＤＵボックス６６中の「±」ボックス６８、７０及び７２を個別にクリックすれば、プリアンブル、ヘッダ及びＰＳＤＵのコンポーネント・ボックス７４、７６及び７８の夫々を表示できる。「±」ボックス６８、７０及び７２に「−」符号が現れているときは、プリアンブル、ヘッダ及びＰＳＤＵに係るコンポーネント・ボックス７４、７６及び７８が表示される。「±」ボックス６８、７０及び７２に「＋」符号が現れているときは、対応するコンポーネント・ボックス７４、７６及び７８は表示されない。コンポーネント・ボックスの夫々に対応してプルダウン・メニューやデータ・ボックスがあり、ユーザは値を選択したり入力したりできる。コンポーネント・ボックス７４、７６及び７８の中にも、「±」ボックスのあるものがある。例えば、プリアンブル・コンポーネント・ボックス７４中のパケット同期シーケンス（Packet Sync Sequence）ボックス、ＰＬＣＰヘッダ・コンポーネント・ボックス７６中のＰＨＹヘッダ・ボックス及びＭＡＣヘッダ・ボックス、ＰＳＤＵコンポーネント・ボックス・アイコン７８中のフレーム・ペイロード（Frame Payload）・ボックスなどである。コンポーネント・ボックス・アイコン中の「±」ボックスをクリックすると、例えば、ＰＨＹヘッダ・コンポーネントに係る「±」ボックスが「−」符号で示されているように、詳細設定項目が表示される。ＰＨＹヘッダの複数の詳細設定項目には、更にプルダウン・メニュー及びデータ・ボックスがあり、ユーザが値を選択したり入力したりできる。図１０に示す「Process This Packet（このパケットを処理）」アイコン８４は、信号定義ユーザ・インターフェイス５０の下部に設けられ、ＰＰＤＵ中のＰＬＣＰプリアンブル、ＰＬＣＰヘッダ及びＰＳＤＵの夫々の入力されたデータ及びパラメータを処理して１６進コードに変換する。このとき、ＨＣＳ等のチェック用コードが自動的に生成される。もしユーザが、この自動生成による処理よりも、ユーザ・インターフェイスからの意図的な変更を維持したいときは、「Process Preferences（処理のお好み設定）」８５を用いて自動生成を適用するか否かをオプションで選択できる。１６進コードは、ＰＬＣＰプリアンブル・ボックス・アイコン６２、ＰＬＣＰヘッダ・ボックス・アイコン６４及びＰＳＤＵボックス・アイコン６６夫々の下にあるボックス８６、８８及び９０の中に表示される。
【００１６】
ユーザが現在定義したＰＰＤＵのパラメータ設定を完了すると、ユーザは「PPUDs in Group」エリア５４に係る追加ボタン「Add」９２をクリックして、新しいＰＰＤＵを「PPUDs in Group」エリア５４に追加し、新しいＰＰＤＵ名を割り当てることができる。それからユーザは、新しいＰＰＤＵにフレーム・ストラクチャ５６を用いてパラメータを設定できる。ユーザは、図１０に「PPUDs in Group」エリア５４にＰＰＤＵ１からＰＰＤＵ４までが代表例として示されているように、新しいＰＰＤＵ名を割り当てることで、いくつでもＰＰＤＵのパラメータを定義及び設定できる。
【００１７】
複数のＰＰＤＵは、パケット・グループ・エリア５２を用いて複数のパケット・グループにグループ分けされる。パケット・グループ・エリア５２には、インデックス列、名前列及びリピート列を含む表示ボックスがある。ユーザは、パケット・グループに名前を割り当て、そのパケット・グループを繰り返す回数を設定する。１つのインデックス値が、各パケットに割り当てられる。パケット・グループ・エリア５２に係る追加ボタン「Add」９４により、ユーザは新しいパケット・グループを追加できる。複数のＰＰＤＵをパケット・グループに結びつける機能、複数のパケット・グループを定義する機能、パケット・グループを複数回繰り返す機能によって、ユーザは被試験デバイスにストレスを与える複雑な試験信号を開発できる。
【００１８】
ユーザ・インターフェイス５０の上部にあるコンパイル・アイコン９６をクリックすると、完了した試験信号がコンパイルされる。ユーザ・インターフェイス・プログラムは、試験信号のパラメータ及びデータをコンパイルしてデジタル・データ値にし、これは信号生成装置１０のメモリ２２に記憶される。信号生成装置１０の波形生成回路３０は、試験信号を表す記憶されたデジタル・データを受け、ユーザ・インターフェイス５０を用いてユーザが定義したパラメータ及び設定値に基づく信号パターンを生成する。
【００１９】
上述のユーザ・インターフェイス５０は、ＷｉＭｅｄｉａウルトラ・ワイド・バンド信号との関係で説明してきたが、本発明は、８０２.１１ｎ、８０２．１５．３ｃ、ＷｉＦｉ、ＷｉＭＡＸ、ＷｉＨＤのような他の信号規格で使用する場合にも利用できる。
【００２０】
上述の本発明は、明確で理解しやすさを目指して記載してきた。しかし、本発明は、これら開示された記載に限定されるものではない。
【図面の簡単な説明】
【００２１】
【図１】図１は、デジタル変調信号を生成し、その信号に障害を加える既存のシミュレーション・ソフトウェア・プログラムのマルチ・キャリア・ブロック・ダイアグラムである。
【図２】図２は、マルチ・キャリア・ブロック・ダイアグラムを用いて呼び出されたデータ・ソース・ダイアグラム・ウィンドウである。
【図３】図３は、変調設定ブロックを強調したマルチ・キャリア・ブロック・ダイアグラムである。
【図４】図４は、マルチ・キャリア・ブロック・ダイアグラムを用いて呼び出された変調設定ダイアログ・ウィンドウである。
【図５】図５は、ＩＱ障害ブロックを強調したマルチ・キャリア・ブロック・ダイアグラムである。
【図６】図６は、マルチ・キャリア・ブロック・ダイアグラムを用いて呼び出されたＩＱ障害ダイアログ・ウィンドウである。
【図７】図７は、試験信号を定義するためのユーザ・インターフェイスを有する本発明による信号生成装置を示す図である。
【図８】図８は、試験信号を定義するためのユーザ・インターフェイスを有する本発明による信号生成装置の機能ブロック図である。
【図９】図９は、本発明によるユーザ・インターフェイスの各部分を表示しているユーザ・インターフェイスの表示例を示す図である。
【図１０】図１０は、１つのグループに複数のＰＰＤＵを生成する場面を描いた本発明によるユーザ・インターフェイスの表示例を示す図である。
【図１】
2008309790.tif 000003
【図２】
2008309790.tif 000004
【図３】
2008309790.tif 000005
【図４】
2008309790.tif 000006
【図５】
2008309790.tif 000007
【図６】
2008309790.tif 000008
【図７】
2008309790.tif 000009
【図８】
2008309790.tif 000010
【図９】
2008309790.tif 000011
【図１０】
2008309790.tif 000012